(57)【要約】  本発明はシートプレート（１）、背もたれ（３、４）及び２枚のサイド部材（５）を具備する子供用椅子（１）で用いるための安全バウ（４０）に関する。この場合、背もたれ又はサイド部材がそれぞれ少なくとも１個の開口部を有している。安全バウは３本の腕付きで、構成可能な部品が一体となっていて、以下を具備している：２個所の第一端部（４３）には、背もたれ（３、４）又はサイド部材（５）の開口部に引っかけるための第一及び第二の結合部材（４４）又  シートプレート（２）を着脱可能に固定する第三の結合部材（４６）を具備した第三端部。本発明は子供用椅子での安全バウの使用にも関する。
2009527320.tif 000002
【特許請求の範囲】
【請求項１】
シート・プレート（２）、背もたれ（３、４）及び２個のサイド部材（５）を有し、背もたれ又はサイド部材がそれぞれ少なくとも１個の開口部を有し、３本の腕付きの構成部材が一体化された子供用椅子に使用するための安全バウにおいて、背もたれ（３、４）又はサイド部材（５）の開口部に引っかけるための第一及び第二の結合部材（４４）を伴う２個所の第一端部（４３）、
−−シート・プレート（２）に取外し可能な固定をするための第三の結合部材（４６）を有する第三端部、を具備することを特徴とする安全バウ。
【請求項２】
シート・プレート（２）は穴を有し、第三の結合部材（４６）が、スナップ止めによって穴に結合またはブラケットを介して穴に結合するために設けられていることを特徴とする請求項１に記載の安全バウ。
【請求項３】
シート・プレート（２）が背もたれ（３、４）及び２個所のサイド部材（５）に対して、深さ及び／又は高さを調節でき、前記シート・プレートの調節に適合できることを特徴とする請求項１又は２に記載の安全バウ。
【請求項４】
背もたれ（３、４）が互いに間隔を置いて並行な上側クロスピース（３）及び下側クロスピース（４）を有し、前記背もたれに開口部を形成し、前記第一及び第二の結合部材（４４）が前記開口部に引っ掛けて止めるようにできることを特徴とする請求項１〜３のいずれか１に記載の安全バウ。
【請求項５】
水平なアーチ状のクロスピース（４１）と、縦のクラウチ・ピース（４２）とを有し、その間が滑らかに移行することを特徴とする請求項１〜４のいずれか１に記載の安全バウ。
【請求項６】
クロスピース（４１）が、主として縦に巻き込んだバンド（４７）と、上側に水平に張りだしたフランジ（４８）とを有し、その間が丸みのある移行部分になっており、フランジ（４８）が安全バウ（４０）を用いる子供の脇の下にとって良い支えになることを特徴とする請求項５に記載の安全バウ。
【請求項７】
クロスピース（４１）の２個所の第一端部（４３）の結合部材（４４）が背もたれ又はサイド部材（５）の開口部に適合していて、引っかけシューズの形又は上向きの引っかけられたシューズの形に適合していることを特徴とする請求項１〜６のいずれか１に記載の安全バウ。
【請求項８】
安全バウ（４０）が背もたれに対して深さを調節できることを特徴とする請求項１〜７のいずれか１に記載の安全バウ。
【請求項９】
クロスピース（４１）の２個所の第一端部（４３）のそれぞれが、背もたれ又はサイド部材内の開口部を介して、安全バウ（４０）の深さ調節のために、少なくとも１個所の引っかけ溝（５１）をクロスピース（４１）に具備していることを特徴とする請求項８に記載の安全バウ。
【請求項１０】
クロスピース（４１）の２個所ある第一端部（４３）が、背もたれ又はサイド部材の開口部を介して端部（４３）の後方移動を阻止する停止部材（４５）又は下向きの停止シューズの形であることを特徴とする請求項１〜８のいずれか１に記載の安全バウ。
【請求項１１】
第三の結合部材（４６）が上向きのスナップ・フラップ（５１）の形で、オーバーライ
ング・ストップ面付きであることを特徴とする請求項１〜１０のいずれか１に記載の安全バウ。
【請求項１２】
クラウチ・ピース（４２）が数段階に高さ調節可能であることを特徴とする請求項１〜１１のいずれか１に記載の安全バウ。
【請求項１３】
クラウチ・ピース（４２）が少なくとも１個の追加した下向きのスナップ・フラップ（５２）、１個以上の追加の上向きスナップ・フラップ（５３）及び停止面（５４）を有することを特徴とする請求項１２に記載の安全バウ。
【請求項１４】
クラウチ・ピース（４２）が半剛性の支持強度を有することを特徴とする請求項１〜１３のいずれか１に記載の安全バウ。
【請求項１５】
クロスピース（４１）の縦に巻き込んだバンド（４７）が、下方への延長部を有し、安全バウ（４０）とシート・プレート（２）の間の開口部を制限するためにサイド部材のフラップ（４９）の形であることを特徴とする請求項１〜１４のいずれか１に記載の安全バウ。
【請求項１６】
クロス・ピースのフラップ（４９）が調節可能及び／又は取外し可能であることを特徴とする請求項１〜１５のいずれか１に記載の安全バウ。
【請求項１７】
Ｔｒｉｐｐ  Ｔｒａｐｐの椅子のような子供用椅子に使用することを特徴とする請求項１〜１６のいずれか１に記載の安全バウ。
【請求項１８】
子供用のハーネスと共に用いることを特徴とする請求項１７に記載の安全バウ。
【発明の詳細な説明】
【技術分野】
【０００１】
本発明は、子供用椅子のための安全バウに関するもので、このような椅子はシート・プレートが前部に垂直な穴を有し、場合によりシート・プレートの垂直及び水平の調節ができるような椅子である。さらに、本発明は子供用椅子の中での安全バウの使用に関するものである。
【背景技術】
【０００２】
子供たちが、自分で座れる時（約６−７ヶ月）から子供用の椅子から落ちることなく安全に座ることをマスターする（約２才）まで、子供たちには、子供用の椅子から落ちないようにする安全機器が必要であることは良く知られている。
【０００３】
多くの場合、バウ又はクロス・バーのような阻止機能が、場合により、この目的のために、子供用椅子に縦方向のストラップ又はバーを組み合わせて使用されている。場合によっては、椅子のシート全体がクロス・バウとクラウチ・バーを一体にして組込んだシートとして成形されている。成形した椅子の短所は、子供のサイズと年齢に対してシートを調節できないことである。多くの場合、シート内のこのような物理的阻止機能は、子供が椅子から下りようとすることから守るためにハーネスと組合わされている。しかしながら、ある物理的阻止機能は、子供が小さくて、下りることができない時、又はハーネス単独では機能せず、追加の物理的支持機能を与える時にのみ使用しうる。
【０００４】
特許文献１から、安全バウは、子供用シートがストラップにより在来の椅子の上に取付けられることが知られている。この安全バウは２個所の水平端部により、サイド部材又はシートの対応する水平な上面に接続するために２個所の水平端部を有している。サイド部材は中空で、下側からバウ端部の下側にある受け入れ穴までねじを入れるための穴を上面に有している。さらに、バウは子供用シート内の穴にはめ込むために、下端にペグを有する中央部材を有している。
【０００５】
さらに、特許文献２から、在来の椅子に取付ける子供用シートのための制限リングが知られている。この制限リングは、シートの裏側と関連するために、２個所の水平端部を有し、又、別個の支持用センター・ロッドは子供用シート内のねじ穴にねじ込むために、下部にねじ切り端部を有している。そして上端はキャップにより制限リングに取付けられる。
【０００６】
後年に、子供用椅子のような子供たちが用いる機器に対する自身の安全手段を有する多くの国と地域の指示で発展が図られている。このことは新しい子供用椅子の開発で考慮しなければならない。しかし、このような安全条項が効果を生じる前に、長期間生産されてきた椅子を適合させることは困難かも知れない。特に、椅子に物理的干渉をせずに、既に多年に亘って販売されてきた椅子に採用することは困難である。家庭の回りには数千もの椅子がある。
【０００７】
例えば、これは、Ｔｒｉｐｐ  Ｔｒａｐｐ（登録商標名）の子供用椅子の場合、１９７２年には既に開発されていて、１９７６年には特許を取り、多くの国で依然として非常に人気のある子供用椅子である。
【０００８】
この椅子は子供の身体的サイズと適合するように調節できる設計になっていて、従って、シート・プレートとフート・プレートを種々の高さ位置に動かして、サイド部材の軌道を滑り、サイド部材間の距離を縮めることにより固定される。座りプレートは、深さの位
置で調節され、シート・バックに対してプレートを押込み、それにより、大腿部の下の正しいシートの長さを椅子を用いる子供に対して提供している。
【０００９】
既存のシートを新たに有効になった要求に適合させることが困難であることが判明した。特に、椅子の上記の当初の機能を維持することが困難である。これを実現するためには、例えば、安全バウの取付によりシートの高さと深さの位置に従えるはずである。安全バウを、このような椅子に取付けることに加えて、安全バウと同時に用いる子供用ハーネスの取付が望ましいと言えよう。
【００１０】
別の目的は、上記の古い椅子の所有者が彼らの椅子を改善するように、このような追加機器の締結手段を提供することである。さらに、子供用ハーネス又は安全バウの使用がもはや不能のときに、椅子の被害マークを目に見えるようにして、部品のどれかに穴を作り、又はねじを挿入するような物理的介入を避けることも目的である。このような介入は不都合な方法で適合させるというユーザーのリスクを生じ、安全性が無傷でなくなる。従って、本発明の目的は、できるだけ直感的で単純に追加機器を組込むと同時に、工具を使用せずに安全性を高めることである。
【００１１】
さらに、椅子の寿命と比較して、安全バウは限定期間のみ使用されることを考慮すると、安全バウは単純な設計で、妥当な製作になるはずである。
【特許文献１】ＳＥ  ４５１  ５３０
【特許文献２】ＥＰ  １  ３８８  ８１１
【発明の開示】
【００１２】
これらの目的を達成するために、出願人は上記問題を解決するための安全バウを開発した。
【００１３】
従って、本発明は、子供用椅子で使用するための安全バウに関するもので、椅子はシート・プレート、背もたれ及び場合によりサイド部材を有する。この場合、背もたれ又はサイド部材はそれぞれが少なくとも１個の開口部、好適には水平の開口部を有している。この場合、安全バウは請求項１に基づくことを特徴とする。
【００１４】
本発明は以下に実施例及び添付図面の助けをかりて詳細に説明されており、そのいずれもが本発明の範囲を限定することを意味せず、本発明の範囲は添付された特許請求の範囲によってのみ定義される。
【発明を実施するための最良の形態】
【００１５】
図１に示すように、安全バウ４０は３本の腕付きバウが一体となっていて、アーチ状クロスピース４１及び縦型クラウチピース４２から構成されている。
【００１６】
アーチ状クロスピース４１は２個所の端部４３を有し、椅子の背中部材又は椅子のサイド部材に締結するための第一及び第二の固定手段４４が付いている。同様に、クラウチピース４２の端部が第三の固定手段４６、本実施例では、ブラケットのシート・プレートに固定するためのはめ込み機構を有する。
【００１７】
図２から見られるように、クロスピース４１は、本実施例では垂直方向の巻き込み囲んだバンド４７を有し、上側の張り出しフランジ４８が実質的に水平な面を形成している。バンド４７とフランジ４８の間の移行が子供のための快適性の配慮により曲がっていて、子供の脇の下に対する良好なサポートを設けている。構造も又クロスピースによりねじり
の安定性だけでなく、剛性と強度を付与している。
【００１８】
一部の国の安全規則を考慮して、クロスピース内のバンド４７が種々の幅を有していて、ある場所では深くなっていることにも関心があり、図３で示すように子供の動きを制限するために、或はシート・プレート２とバウ４０により定義された開口部のサイズ又は形状を低減するために、望ましい場所では深くしている。この実施例では、端部４３とクラウチストラップ４２の間の領域内の各サイドでフラップ４９を有するサイド部材内でバンド４７は下向きの幅が広がっている。
【００１９】
図３で、安全バウを子供用椅子に取付ける方法をさらに示している。図２に見られるように、結合部材は端部４３の切り落し部に対して後方に曲げられた上向きシューズ４４を有している。そして、図３では、これらのシューズ４４を椅子１の背もたれの上側クロスピース３と下側クロスピース４の間に引っかける方法を示している。そして、シート・プレート２での対応する結合部材に、クラウチ・ピース４２の端部に結合部材４６が結合されるまで、バウ４０が前部で転がり落ちて、シューズ４４が上端前方に押される。この実施例で、シート・プレート２の接続部材が固定ブラケット１０内のエッジ溝１２であり、図３及び４に示すように、シート・プレート２に固定される。クラウチピース４２が、幾分柔軟で、子供のサイズに基づいてシート・プレートの深さ調節を行なえる。アーチ状クロスピース４１の剛性及び／又は第一及び第二の固定手段４４の配置により、さらに、安全バウは、上方又は下方に傾斜されたシート・プレートの２−３の位置のような種々の高さ位置に適合される。
【００２０】
クラウチ・ピース４２はクロスバウ４１に行使された負荷を吸収しなければならないので、安全バウ４０が、さらに子供の椅子１がこのような負荷を吸収することに対する固定面から成ることが好ましい。安全バウ４０の質と柔軟性により、例えば、図２に示すように、クロス・ピース４１の端部４３が、さらに、端部４３に対して前方に曲げられた下向きの停止シューズの形で停止部材４５から成ることが好ましい。図３に示すように、停止部材４５は、それにより、椅子１の背もたれの下部クロスピース４の上部前端の上端で後方に押される。この方法で、シート２に固定されたとき、安全バウ４０が完全に堅固な歪みを受ける。さらに同時に、椅子と安全バウの間のゆるみのような水平後方への動きが阻止される。同時に、安全バウへの負荷の一部が吸収される。
【００２１】
前と次ぎの両方の実施例で、椅子１は背もたれを有し、その背もたれは２個の水平で平行なクロスピース３及び４から成り、それらは規定された高さを持つ通り抜ける開口部を形成する。しかしながら、その開口部は椅子の背もたれ又はサイド部材の中の２個の別々の開口部から成っていても良い。それは例えば規定の高さ及び多分規定の幅を持つ２本の平行な溝である。その開口部は通り抜ける必要はなく、例えば、示されているように結合部材４４の引っかけにより多分固定するエッジ又は経路を有する凹部でも良い。安全バウを固定し、後方への動きを阻止するために、安全バウの端部４３がそれ自体を椅子の背又はサイド部材に当てる。
【００２２】
図５は、本発明の代わりの実施例を示し、その場合、クロスピース４１の端部４３が、椅子１のクロスピース３及び４の間の開口部に向っている他の形の結合部材５０から成っている。この実施例では、結合部材５０が、背もたれ３、４内の開口部を通り抜ける後ろ方向の（以前の図面による）端部４３の突出している延長部から成っている。結合部材５０の端部は、重要な上向き方向に持上げられた部材で完了し、安全バウが既に述べたように開口部内に引っかけなければならない。しかしながら、結合部材５０はオルガン４４より高い負荷を吸収するために、多くの材料を用いた寸法になっている。それにより、さらに端部４３の前にさらに停止オルガン４５の必要はない。
【００２３】
高くされた部材５１に加えて、図７に詳細に示すように、結合部材５０はさらに上端に追加したクロストラック５２から成っている。又、図５に示すように背もたれの近くに１個所に追加した水平の深さ位置で、クロスピースに引っかけることができる。そのような位置は椅子を使用する最も小さな子供にとって関心があるだろう。安全バウと背もたれのアーチ状クロスピース４１により制限される水平開口部を高めることとの関連で、子供の成長と共にクロストラック５２から高くされた部材５１に変えることにより、シート・プレート２を低くすることに関心がある。シート・プレート２の代わりの高さ位置で比較的剛性のあるバウ４０を用いるために、結合部材４６がいくつかの固定位置から成っている。図８で詳細に示すように、結合部材４６は連続的ないくつかのスナップ・ロックから成っている。
【００２４】
図７に示すように、クラウチ・ストラップ４２の端部が以前の実施例のように下方の上向きのスナップ・フラップ５１から成っているが、他の下向きのスナップ・フラップ５２がこのスナップ・フラップの上に配置され、図１−４に示されるように、停止エッジの代わりに、クラウチ・ストラップ４２が自分で下方に動くのを阻止する。しかしながら、第二のスナップ・フラップ５２を外すことにより、クラウチ・ストラップ４２がさらに溝１２に下降する。そして、第三の上向きのスナップ・フラップ５３が溝１２の深い位置でクラウチ・ストラップを固定する。それにより、第四のスナップ・フラップ５４の助けにより、さらに下降するのを阻止する。
【００２５】
クラウチ・ストラップ４２はさらに調節の可能性を高めるために、スナップ・フラップの数を追加して良い。しかし、その数を幾分制限して、安全バウがその内側の位置で用いられる時、シート・プレートの下に突出した長さ部品が妨害されるのを避ける。
【００２６】
図６で、子供の椅子に取付ける代替品が示されている。その中で、シート・プレート２自体の中の溝内にある結合部材４６によりクラウチ・ストラップ４２の直接固定と共に安全バウ４０が用いられる。オリジナルのＴｒｉｐｐ  Ｔｒａｐｐの椅子では、例えば、他のタイプのクラウチ・ストラップを固定するための溝のようなものである。安全バウと子供の両方に深さを適合させるために、シート・プレート２は水平方向で示されている。図５に示すように、全体として、図５に示すように、ブラケット１０を介してクラウチ・ストラップ４２の固定は、そのクラウチ・ストラップがシート・プレートの外側上に固定されるので、その一方で、クラウチ・ストラップがシート・プレートの外側で締結され、その一方で、図６に基づく実施例内の空間が幾分制限されるので、子供の足が動くように多くの空間を提供する。
【００２７】
安全バウは、金属、木材、プラスチック又は他の合成材料又は複合材料のような適当な材料で製作しうる。好ましくは、安全バウは支持を受けぬ半剛体の材料から作られるが、シート深さの調節に十分な柔軟性を有し、好ましくはプラスチック製とする。
【００２８】
それゆえ、本発明に基づく安全バウの利点は、Ｔｒｉｐｐ  Ｔｒａｐｐの椅子又は他の椅子のような既存の椅子に、椅子の部材のどれかに物理的変更をせず、又は、ねじのような締結手段の使用を要求せずに、使用しうると言うことである。安全バウは、既存の要素の助けを受けて、及び、シート・プレート上の既存の溝又はブラケットにより、後端に引っかけるだけである。安全バウは、椅子の機能のどれにも妨げにならないように、シート・プレートの高さ調節及び（又は）深さ調節のようなある程度まで垂直及び水平の両方で、椅子の調節に従う。安全バウは、もはや必要ない場合、使用後に容易に取外せて、又は、他の対応する椅子に移動しうる。安全バウに含まれる調節の可能性には、乳児及び幼児のための使用に関心があるシート・プレートの調節領域をカバーしている。
【００２９】
本発明に基づく安全バウの他の利点は図６に示すように、子供の椅子に固定するために
必要な全ての締結部材が安全バウに組込まれていて、余分な外せる部品又は工具の使用を必要としない。
【図面の簡単な説明】
【００３０】
【図１】本発明に基づく安全バウの透視図を示す。
【図２】図１の安全バウの側面図である。
【図３】子供用椅子に締結中の安全バウの取付図を示す。
【図４】子供用椅子に取付けられた図３の安全バウを示す。
【図５】子供用椅子の水平及び垂直の２種類の位置に取付けられた本発明に基づく第二の安全バウの側面図を示す。
【図６】図６の安全バウの別の取付を示している。
【図７】図６の安全バウの透視図を示している。
【図８】図６の安全バウの詳細図を示す。
【図１】
2009527320.tif 000003
【図２】
2009527320.tif 000004
【図３】
2009527320.tif 000005
【図４】
2009527320.tif 000006
【図５】
2009527320.tif 000007
【図６】
2009527320.tif 000008
【図７】
2009527320.tif 000009
【図８】
2009527320.tif 000010
【国際調査報告】
2009527320.tif 000011
2009527320.tif 000012
2009527320.tif 000013